(57)【要約】【課題】ぬめりの発生を抑えるために、微生物やその代謝物である酵素を含んだ浄化処理液を排水トラップに確実に供給する。【解決手段】水回り設備に設置された排水トラップに、浄化処理液を供給してぬめりを除去する、ぬめり除去浄化装置であって、有機物を分解させる働きのある微生物や、その代謝物である酵素を混入させた浄化処理液２を貯留した容器本体１に、ポンプ３を介して接続したチューブ４を排水トラップに導入し、容器本体に貯留された浄化処理液２を、定期的に供給するようにしている。【選択図】図１
2005232920.tif 000002
【特許請求の範囲】
【請求項１】
水回り設備に設置された排水トラップに、浄化処理液を供給してぬめりを除去する、ぬめり除去浄化装置であって、
有機物を分解させる働きのある微生物や、その代謝物である酵素を混入させた浄化処理液を貯留した容器本体に、ポンプを介して接続したチューブを上記排水トラップに導入し、上記容器本体に貯留された浄化処理液を、定期的に供給するようにしている、ぬめり除去浄化装置。
【請求項２】
請求項１において、
上記ポンプはチューブポンプである、ぬめり除去浄化装置。
【請求項３】
請求項１または２において、
上記微生物は、バシラス・サプティリス、バシラス・コアギュランス、アスペルジルス・フラバス・オリザー、ラクトバシラス・ファーメンタム、サッカロマイセス・セレヴィシェ族群のうちから、１つあるいはそれ以上の種類が選択されている、ぬめり除去浄化装置。
【請求項４】
請求項１〜３に記載された、ぬめり除去浄化装置を設置している流し台。
【請求項５】
請求項１〜３に記載された、ぬめり除去浄化装置を設置している浴室。
【発明の詳細な説明】
【技術分野】
【０００１】
本発明は、水回り設備に設置された排水トラップに、微生物やその代謝物を含んだ浄化処理液を供給してぬめりを除去する、ぬめり除去浄化装置に関するものである。
【背景技術】
【０００２】
水回り設備、すなわち、台所の流し台、浴室、洗面所、トイレにおいて、最も汚れの激しい場所として排水トラップ内があげられる。
特に流し台の排水トラップは、排水トラップに設置された網かごに料理くずや食べかす等を一時的にためるため、長時間放置するとぬめってしまう。ぬめることなく比較的きれいな状態を維持するため、毎日、網かごを取り外して洗剤をつけたスポンジやブラシ等で洗わなければならない。
【０００３】
しかしながら、毎日掃除をせずに残飯をためてしまうとトラップ内、特にトラップ水がたまっている排水溜めの壁面はぬめってしまう。また、トラップ内部は狭く掃除しにくいため、掃除が不十分な箇所は汚れがたまり、ぬめりや悪臭の原因となる。
ぬめりは細菌により発生するもので、栄養分の豊富な水中で細菌が繁殖し、壁面についた有機物によってさらに細菌が増殖し、その細菌が生成する分泌液がぬめりの原因となる。また、さらに時間が経過すれば、バイオフィルムを形成してしまうこともある。
【０００４】
従来は、このぬめりを発生させないように、排水トラップの素材に銀系または有機系抗菌剤を添加して菌の発生を抑えるようにしていた。しかし、抗菌剤を内添した場合は、表面に露出した抗菌剤のみが作用するため、使用当初は抗菌効果が見られ、ぬめりの発生を抑えることができるが、素材表面が汚れで覆われてしまうと、抗菌効果はほとんどなくなってしまう。
【０００５】
したがって、ぬめりの発生を事前に防止することは困難であり、そのため、発生した細菌を除去する方法が種々提案されていた。たとえば次に示す文献には、浴室内壁についたぬめりを、酵素を用いて分解洗浄する装置が記載されている。
【特許文献１】特開２００２−２５３４４０号公報
【発明の開示】
【発明が解決しようとする課題】
【０００６】
ところで、ぬめり成分をその発生段階で除去する、このような方法では、微生物やその代謝物である酵素を含んだ浄化処理液を、定期的かつ確実にトラップ内部のぬめり部分に供給しなければ、細菌除去効果は上がらないばかりか、ぬめりはいっそう増殖してしまう。
【０００７】
したがって、このような浄化処理液を用いた掃除を怠ってしまうと、ぬめりはいちだんとひどくなり、その結果、たとえば浴室トラップの場合には、防臭筒とトラップ本体の間の隙間が徐々に狭くなり、排水に時間がかかるようになってしまい、最終的に詰まってしまうことさえある。また、ぬめりによる悪臭も発生する。流し台のトラップについても同様である。
【０００８】
本発明はこのような事情を考慮して提案されたものであり、その目的は、ぬめりの発生を抑えるために、微生物やその代謝物である酵素を含んだ浄化処理液を排水トラップに確実に供給できる、ぬめり除去浄化装置を提供することにある。
【課題を解決するための手段】
【０００９】
上記目的を達成するために、請求項１に記載のぬめり除去浄化装置は、水回り設備に設置された排水トラップに、浄化処理液を供給してぬめりを除去する、ぬめり除去浄化装置であって、有機物を分解させる働きのある微生物や、その代謝物である酵素を混入させた浄化処理液を貯留した容器本体に、ポンプを介して接続したチューブを排水トラップに導入し、容器本体に貯留された浄化処理液を、定期的に供給するようにしている。
【００１０】
請求項２では、請求項１においてポンプはチューブポンプである。
【００１１】
請求項３では、請求項１または２において、微生物は、バシラス・サプティリス、バシラス・コアギュランス、アスペルジルス・フラバス・オリザー、ラクトバシラス・ファーメンタム、サッカロマイセス・セレヴィシェ族群のうちから、１つあるいはそれ以上の種類が選択されている。
【００１２】
請求項４では、請求項１〜３に記載されたぬめり除去浄化装置を流し台に設置するようにしている。
【００１３】
また、請求項５では、請求項１〜３に記載されたぬめり除去浄化装置を浴室に設置するようにしている。
【発明の効果】
【００１４】
請求項１に記載のぬめり除去浄化装置は、ポンプを利用して浄化処理液を定期的に送り込んでいるので、排水トラップには有益微生物等を含んだ浄化処理液が確実に供給される。そのため、ぬめりを発生段階で除去することができ、排水トラップ内を常にぬめりのない状態に維持することができる。
【００１５】
請求項２では、ポンプをチューブポンプとしているため、目立たず、場所もとらない。また、弁構造がないので、粘性のある浄化処理液を移送するのに最適である。さらに、メンテナンスもチューブの交換だけですむ。
【００１６】
請求項３では、微生物は、バシラス・サプティリス、バシラス・コアギュランス、アスペルジルス・フラバス・オリザー、ラクトバシラス・ファーメンタム、サッカロマイセス・セレヴィシェのうちから、１つあるいはそれ以上の種類が選択されている。これらは、細菌を死滅させる有益微生物であるため、ぬめりの発生を効果的に抑えることができる。
【００１７】
請求項４、５では、上記ぬめり除去浄化装置を流し台、浴室に設置しているので、一般住宅で最も気になる水回り設備のぬめりや、ぬめりによる悪臭を解消することができる。
【発明を実施するための最良の形態】
【００１８】
以下に、本発明の実施形態について、図面を参照しながら説明する。
排水トラップのぬめりは、トラップ壁面に有機物が付着し、その有機物を栄養源にする細菌が増殖し、その代謝物が生成されることにより発生する。
本発明のぬめり除去浄化装置は、ぬめりを発生させる細菌を死滅させる有益微生物を定期的に供給するものである。有益な微生物として、バシラス・サプティリス（枯草菌）、バシラス・コアギュランス（納豆菌の仲間）、アスペルジルス・フラバス・オリザー（麹カビ類）、ラクトバシラス・ファーメンタム（乳酸発酵菌）、サッカロマイセス・セレヴィシェ（パンの酵母イースト菌）などがあり、納豆・清酒・味噌・醤油等の発酵食品の製造、カビ駆除、種々の浄化などに利用されている。
【００１９】
以下に示す２つ実施例は、ぬめり除去浄化装置を流し台と浴室に適用したものを示しており、これらに採用する微生物として、上記有益微生物のうちから、１つあるいは複数種類が選択されて利用される。
【実施例１】
【００２０】
本実施例は、流し台の排水トラップにぬめり除去浄化装置を設置したものである。
図１には、本発明のぬめり除去装置を流し台に設置した場合の説明図を示している。
図中、１０はキッチンシンク、１１は目皿、１２は排水トラップ本体、１３は網かご、１４は釣鐘形状の防臭筒、１５は（トラップ水が溜まっている）排水溜め、１６は排水管を示している。排水トラップ１２には、排水管１６の入口に、防臭筒１４の下部を浸水させた排水溜め１５を設け、排水を排水管１６に通過させ、臭気が逆流しない構造になっている。
流し台に設置される排水トラップは、排水とともに排出される料理くずや食べかすなどを、目皿１１の下に設けた網かご１３で捕捉し、かつ排水が排水管１６へ流れ込むのを阻止しないように、上部を閉塞した釣鐘形状の防臭筒１４を排水溜めに浸水させ、浮かせた状態で収容している。
【００２１】
一方、ぬめり除去浄化装置は、有機物を分解させる働きのある微生物や、その代謝物である酵素を混入させた浄化処理液２を貯留した容器本体１に、ポンプ３を介して接続したチューブ２を排水トラップ本体１２に導入するようにしたもので、容器本体１に貯留された浄化処理液２を、定期的に供給するようにしている。
ポンプ３は、タイマーによって所定の時間間隔で作動され、それによって、容器本体１に貯留された浄化処理液２がチューブ４の先端より排水トラップの排水溜め１５に供給される。
また、ここで使用する浄化洗浄液２は、上記の有益微生物やその代謝物である酵素を天然水や油脂等で希釈したもので、石鹸や合成洗剤で使用される汚れを包み込んで浮かせる作用を有した界面活性剤を含んでいない。その代わりに、有益微生物や酵素が、ぬめりのもととなる有機物を分解し、細菌を死滅させることによって、汚れやぬめりを取り除く。
【００２２】
このように、浄化処理液２を定期的に送り込む構成であるため、微生物や酵素を確実に排水溜め１５に供給できる。そのため、ぬめりを発生段階で除去することができ、排水トラップ内を常にぬめりのない状態に維持することができる。
【００２３】
なお、ここではチューブポンプを採用しているが、これには限定されず、浄化洗浄液を定期的にトラップ内に供給できる構成の他のポンプであってもよい。
チューブを使用すれば、チューブが磨耗しても、簡単に取り替えることができ、メンテナンス性ですぐれている。
【００２４】
次に、本発明装置の台所への適用効果の確認のための実験例を、図２を用いて説明する。図２は、実験装置の概略図である。
【００２５】
まず、排水トラップＴと、その上部の液拡散容器３０と、水道水タンク３１とを、３０℃、９０％ＲＨの恒温高温室に設置する。タンク３１からは、ポンプ３２を介して水道水を、液拡散容器３０に供給できるようにしている。
排水トラップＴには、本発明のぬめり除去浄化装置の処理液供給用のチューブ４が導入されている。なお、符号１、２、３はそれぞれ、ぬめり除去浄化装置の容器本体、その中に収容された浄化処理液、ポンプ３を示している。
また、８℃の雰囲気に標準排水タンク３３が設置されており、ポンプ３４を介して、排水を液拡散容器３０に供給できるようにしている。この標準排水には、水１リットルに対して粉砕し濾過したドッグフード１０ｇを混合させたものを使用する。
【００２６】
次に、試験手順について説明する。
容器本体１に、浄化処理液２を１００ｍｌ入れる。
ポンプ３がチューブポンプで１時間に１回０．２ｍｌの割合で滴下するように調整する。
水道水用のポンプ３２は、タンク３１の水道水を４２０ｍｌ、２４時間に１回、１時間で液拡散容器３０に供給し、排水トラップＴに均一に流れ込むように調整する。
標準排水用ポンプ３４は、タンク３３の排水を８０ｍｌ、２４時間に１回、１時間で液拡散容器３０に供給し、排水トラップＴに均一に流れ込むように調整する。
なお、水道水と標準排水は同一タイミングで供給する。
すなわち、水道水と標準排水が同時に液拡散容器３０に供給され、容器３０の中で混合され、混合された液が排水トラップＴに均一に供給される。
そして、２３時間放置したのち、またポンプ３２、３４が稼動し、水道水と標準排水を供給する。
【００２７】
この２４時間の試験サイクルを１０日繰り返したのち、トラップＴ内の外観および触感を評価したところ、外観の汚れはなく、ぬめりも感じられなかった。これにより、ぬめり除去浄化装置を台所に対して適用できることが証明された。
【実施例２】
【００２８】
本実施例は、浴室の排水トラップにぬめり除去浄化装置を設置したものである。
図３には、本発明のぬめり除去装置を浴室に設置した場合の説明図を示している。
図中、２０は浴室床、２１はフィルタ板、２２は排水トラップ本体、２３は排水溜め、２４は防臭筒、２５は排水管を示している。排水トラップは、排水管２５の入口に、防臭筒２４の下部を浸水させた排水溜め２３を設け、排水を排水管２５に通過させ、臭気が逆流しない構造になっている。
浴室や排水パンなどに設置される排水トラップは、大きいゴミや髪の毛などの流れ込みを阻止するフィルタ板２１を設けた排水口の直下に、貫通した防臭筒２４を設け、その防臭筒２４の下端を排水溜め２３に浸水させている。排水溜め２３は、排水管２５に通じているが、排水管２５に放出された排水の臭気は、排水溜め２３で逆流が阻止される構造となっている。
【００２９】
ぬめり除去浄化装置は実施例１と同一構成であるため、その構成については説明を割愛する。また、チューブ４の先端は排水トラップ本体２２に導入されており、容器本体１に貯留された浄化処理液２を、定期的に供給するようにしている。
ポンプ３は、タイマーによって所定の時間間隔で作動され、それによって、容器本体１に貯留された浄化処理液２がチューブ４の先端より排水トラップの排水溜め２３に供給される。
【００３０】
このように、浄化処理液２を定期的に送り込む構成であるため、微生物や酵素を確実に排水溜め２３に供給できる。そのため、ぬめりを発生段階で除去することができ、排水トラップ内を常にぬめりのない状態に維持することができる。
【００３１】
次に、本発明装置の浴室への適用効果の確認のための実験例を、図２を用いて説明する。
実験装置は実施例１と同様であるため、その構成について説明を割愛する。ただし、標準排水には、実施例１のものに代えて、個人住宅の浴室の排水トラップに溜まったトラップ水３リットルを使用する。
【００３２】
この試験も実施例１と同様の手順で実施し、１０日間繰り返したのち、トラップＴ内の外観および触感を評価したところ、外観の汚れはなく、ぬめりも感じられなかった。これにより、ぬめり除去浄化装置を浴室に対して適用できることが証明された。
【図面の簡単な説明】
【００３３】
【図１】本発明の一例を示した台所用排水トラップの説明図
【図２】ぬめり発生試験装置の概略説明図
【図３】本発明の一例を示した浴室用排水トラップの説明図
【符号の説明】
【００３４】
１      浄化処理液容器本体
２      浄化処理液
３      ポンプ
４      チューブ
１０      キッチンシンク
１１      目皿
１２      トラップ本体
１３      網かご
１４      防臭筒
１５      排水溜め
１６      排水管
２０      浴室床
２１      フィルタ板
２２      トラップ本体
２３      排水溜め
２４      防臭筒
２５      排水管
３０      液拡散容器
３１      水道水タンク
３２      ポンプ
３３      標準排水タンク
３４      ポンプ
Ｔ      排水トラップ（実験用）
【図１】
2005232920.tif 000003
【図２】
2005232920.tif 000004
【図３】
2005232920.tif 000005